(57)【要約】【課題】流体制御中にチューブが脱落することを防止できるピンチバルブを提供すること。【解決手段】プランジャ２４が固定コア２３から離間する方向に復帰バネ２６で付勢されたソレノイド部２と、ソレノイド部２に固設され、チューブＴを挿入する挿入部３２が設けられた支持部材３１Ａと、支持部材３１Ａに摺動可能に収納され、プランジャ２４に連結するピンチ部材４０Ａと、ピンチ部材４０Ａと対向配置されるスプリングピン３３と、を備え、ピンチ部材４０Ａを復帰バネ２６に抗して押圧し、溝３５からピンチ部材４０Ａとスプリングピン３３との間にチューブＴを挿入して取り付けるピンチバルブ１Ａに、挿入部３２を開閉する保護カバー５０Ａを設ける。【選択図】        図１
2004324730.tif 000002
【特許請求の範囲】
【請求項１】
プランジャが固定コアから離間する方向に復帰バネで付勢されたソレノイド部と、前記ソレノイド部に固設され、チューブを挿入する挿入部が設けられた支持部材と、前記支持部材に摺動可能に収納され、前記プランジャに連結するピンチ部材と、前記ピンチ部材と対向配置されるピンチガイド部材と、を備え、前記ピンチ部材を前記復帰バネに抗して押圧し、前記挿入部から前記ピンチ部材と前記ピンチガイド部材との間に前記チューブを挿入して取り付けるピンチバルブにおいて、
前記挿入部を開閉する開閉部材を有すること、を特徴とするピンチバルブ。
【請求項２】
請求項１に記載するピンチバルブにおいて、
前記開閉部材は、前記支持部材と前記ピンチ部材との間に移動可能に配設されていること、を特徴とするピンチバルブ。
【請求項３】
請求項２に記載するピンチバルブにおいて、
前記開閉部材を前記復帰バネと同一方向に付勢する付勢部材を有し、
前記開閉部材は、前記付勢部材に付勢されているときに、前記挿入部を閉鎖する一方、前記付勢部材に抗して移動したときに、前記挿入部を開放すること、を特徴とするピンチバルブ。
【請求項４】
請求項１乃至請求項３の何れか１つに記載するピンチバルブにおいて、
前記開閉部材の位置検出を行う検知手段を有し、
前記検知手段が、前記開閉部材が前記挿入部を閉鎖する位置にあることを検知しているときに、前記ソレノイド部を駆動させること、を特徴とするピンチバルブ。
【発明の詳細な説明】
【０００１】
【発明の属する技術分野】
本発明は、流体を制御するピンチバルブに関する。
【０００２】
【従来の技術】
流体を制御するピンチバルブは、例えば、飲料水供給装置、人工透析濾過装置、高速気腹装置などに使用されるが、ここでは、人工透析装置に使用されるピンチバルブについて説明する。図１０は、人工透析濾過装置９０の一例を示す概略構成図である。図１１は、人工透析濾過装置９０に取り付けられたピンチバルブ１００の拡大図である。
【０００３】
腎臓には、体の老廃物を外に出す機能、体内の余分な水分を外に出す機能、血液をつくるためのホルモンを作る機能、骨をつくるためのビタミンを作る機能があることが一般的に知られており、図１０に示す人工透析濾過装置９０は、主として体の老廃物を外に出す機能及び体内の余分な水分を外に出す機能を機械的に代替する。人工透析濾過装置９０による人工透析治療は、１回につき約４〜５時間要し、それを週に３回程度行う必要があるため、設備的・時間的制約等から一般家庭でも行われ、それに伴って人工透析濾過装置９０が一般家庭でも使用されつつある。
【０００４】
人工透析濾過装置９０は、人体から採取した血液を循環させる血液循環経路上に設置され、人工透析部に供給された血液と透析液との間で透析濾過を行うことにより血液中の有害物質や過剰水分等を除去し、さらに、透析後の血液を再び人体に戻している。人工透析濾過装置９０のピンチバルブ１００には、図１１に示すように、血液循環経路を構成するチューブＴが組み付けられ、血液中に気泡が発生した場合やその他人工透析濾過装置９０に異常が発生した場合などに、チューブＴを狭圧して血液循環経路を圧閉し、血液を人体に戻さないようにしている（例えば、特許文献１参照）。
【０００５】
図１２は、従来のピンチバルブ１００の断面図である。
ピンチバルブ１００は、駆動力を発生するソレノイド部１０１と、チューブＴを狭圧又は開放するピンチ部１０２とを備える。ソレノイド部１０１は、コイルボビン１１１にコイル１１２を巻き付け、コイルボビン１１１の一端開口部に固定コア１１３が固設され、他端開口部からプランジャ１１４が摺動可能に挿入されている。固定コア１１３とプランジャ１１４との間には、復帰バネ１１５が縮設され、プランジャ１１４に固定コア１１３から離間する方向（図中上方向）の力が常時作用している。
【０００６】
ピンチ部１０２は、チューブＴを位置決め保持する支持部材１２１がソレノイド部１０１に固定されている。支持部材１２１は、プランジャ１１４と同軸上に中空孔が形成され、その中空孔にピンチ部材１２２が摺動可能に挿通されている。ピンチ部材１２２は、ソレノイド部１０１のプランジャ１１４と連結され、プランジャ１１４を介して復帰バネ１１５により固定コア１１３と反対方向（図中上方向）の力が常時作用している。支持部材１２１には、チューブＴを挿入して保持するための挿入部１２３が設けられ、チューブＴに対して直交するようにピン１２４が架設されている。ピンチ部材１２２は、支持部材１２１の挿入部１２３に対して開口する狭圧部１２５が設けられ、ピン１２４と狭圧部１２５との間でチューブＴを狭圧又は開放するようになっている。
【０００７】
従って、ピンチバルブ１００は、人工透析濾過装置９０を停止させているときに、手動でチューブＴを取り付けられる。すなわち、ピンチ部材１２２を復帰バネ１１５に抗してソレノイド部１０１側に押圧して、ピンチ部材１２２の狭圧部１２５を支持部材１２１の挿入部１２３に位置合わせした後、チューブＴを支持部材１２１の挿入部１２３に挿通し、さらにピンチ部材１２２の押圧を解除して、ピンチ部材１２２を復帰バネ１１５の弾圧力で原位置に自動復帰させる。これにより、ピンチバルブ１００は、ピン１２４とピンチ部材１２２の狭圧部１２５との間でチューブＴを狭圧密閉し、チューブＴを取り付けられる（例えば、特許文献２参照）。
【０００８】
【特許文献１】
特開平６−２１８０４２号公報（段落００５９〜００６２、第９図。）。
【特許文献２】
特開平６−１１７５５２号公報（段落０００２〜０００３、第６，７図。）。
【０００９】
【発明が解決しようとする課題】
しかしながら、従来のピンチバルブ１００は、ソレノイド部１０１のコイル１１２に通電している間、ピンチ部材１２２がソレノイド部１０１側に移動して狭圧部１２５を支持部材１２１の挿入部１２３まで移動させるため、図１３に示すように、チューブＴが支持部材１２１から露出していた。このとき、チューブＴを支持部材１２１の挿入部１２３から引き抜く方向に引っ張ると、チューブＴがピンチバルブ１００から簡単に脱落してしまっていた。特に、人工透析濾過装置９０を一般家庭で使用する場合には、チューブＴがピンチバルブ１００から脱落すると、透析治療を受けている患者自身がチューブＴを取り付け直さなければならないため問題である。
【００１０】
そこで、本発明は、上記問題点を解決するためになされたものであり、流体制御中にチューブが脱落することを防止できるピンチバルブを提供することを目的とする。
【００１１】
【課題を解決するための手段】
本発明に係るピンチバルブは、上記課題を解決するため、以下の特徴を有する。
（１）プランジャが固定コアから離間する方向に復帰バネで付勢されたソレノイド部と、ソレノイド部に固設され、チューブを挿入する挿入部が設けられた支持部材と、支持部材に摺動可能に収納され、プランジャに連結するピンチ部材と、ピンチ部材と対向配置されるピンチガイド部材と、を備え、ピンチ部材を復帰バネに抗して押圧し、挿入部からピンチ部材とピンチガイド部材との間にチューブを挿入して取り付けるピンチバルブにおいて、挿入部を開閉する開閉部材を有すること、を特徴とする。
【００１２】
上記構成を有する発明によれば、チューブを取り付ける場合には、開閉部材で支持部材の挿入部を開放した後、ピンチ部材を復帰バネに抗して固定コア側に押圧し、ピンチガイド部材から離間させる。そして、チューブを支持部材の挿入部からピンチ部材とピンチガイド部材との間に挿入し、開閉部材で支持部材の挿入部を閉鎖する。ピンチ部材への押圧を解除すると、ピンチ部材は、復帰バネの弾圧力で原位置に自動復帰し、ピンチガイド部材との間でチューブを狭圧密閉する。
【００１３】
その後、ソレノイド部に通電すると、固定コアがプランジャを吸引して、ピンチ部材をピンチガイド部材から離間させる方向に移動させ、チューブを開通させる。このとき、支持部材の挿入部は、開閉部材により閉鎖されてるので、ソレノイド部の作動中にチューブを支持部材の挿入部側に引っ張っても、チューブが開閉部材に係止され、ピンチ部材とピンチガイド部材との間から抜けない。そして、ソレノイド部への通電を停止すると、プランジャが復帰バネに付勢されて原位置に復帰して、ピンチ部材とピンチガイド部材との間でチューブを狭圧密閉する。
【００１４】
チューブを取り外す場合には、開閉部材で支持部材の挿入部を開放した後、プランジャを復帰バネに抗して固定コア側に押圧して、ピンチ部材をピンチガイド部材から離間させ、チューブをピンチ部材とピンチガイド部材との間から支持部材の挿入部へと引っ張れば、チューブをピンチ部材とピンチガイド部材との間から抜き出すことができる。
【００１５】
このように、本発明によれば、開閉部材で支持部材の挿入部を開閉してチューブを着脱しており、ピンチ部材とピンチガイド部材との間に挿通したチューブを開閉部材で係止して抜け止めするので、流体制御中にチューブが脱落することを防止できる。
【００１６】
（２）（１）に記載の発明において、開閉部材は、支持部材とピンチ部材との間に移動可能に配設されていること、を特徴とする。
すなわち、支持部材と摺動部材との間で開閉部材を移動させて支持部材の挿入部を開閉するので、チューブの脱落防止構造をコンパクトにすることができる。
【００１７】
（３）（２）に記載の発明において、開閉部材を復帰バネと同一方向に付勢する付勢部材を有し、開閉部材は、付勢部材に付勢されているときに、挿入部を閉鎖する一方、付勢部材に抗して移動したときに、挿入部を開放すること、を特徴とする。
【００１８】
上記構成を有する発明では、開閉部材を付勢部材に抗して押圧すると、支持部材の挿入部を開放して、チューブを着脱可能にし、その後、開閉部材への押圧を解除すると、開閉部材が付勢部材により原位置に自動復帰して、チューブの着脱を制限するので、チューブをいわゆるワンタッチで着脱することができ、作業性を良好にすることができる。
【００１９】
（４）（１）乃至（３）の何れか１つに記載の発明において、開閉部材の位置検出を行い、開閉部材が挿入部を閉鎖する位置にある場合にのみソレノイド部を駆動させること、を特徴とする。
すなわち、例えば、開閉部材がチューブを噛み込んで、支持部材の挿入部を閉鎖する位置まで移動していない場合には、検知手段は、その開閉部材の位置を検出し、ソレノイド部を駆動させないので、チューブの取り付け不良を検出し、チューブの脱落をより確実に防止することができる。
【００２０】
【発明の実施の形態】
（第１実施の形態）
次に、本発明に係るピンチバルブの第１実施の形態について図面を参照して説明する。図１は、ピンチバルブ１Ａの正面図である。
本実施の形態のピンチバルブ１Ａも、従来のピンチバルブ１００と同様に、図１０に示す人工透析濾過装置９０に使用される。ピンチバルブ１Ａは、駆動力を発生するソレノイド部２と、チューブＴを狭圧又は開放するピンチ部３Ａとを備え、支持部材３１Ａの挿入部３２を保護カバー（「開閉部材」に相当するもの。）５０Ａによって開閉するよう構成されている。
【００２１】
図２は、ピンチバルブ１Ａの断面図である。
中空円筒形状のコイルボビン２１には、コイル２２が巻き付けられ、コイルボビン２１の一端開口部から固定コア２３が装填されている。プランジャ２４は、コイルボビン２１の他端開口部から固定コア２３と同軸上に挿入されている。コイルボビン２１と固定コア２３及びプランジャ２４との間には、非磁性体のパイプ２５がピンチ部３Ａに突き出すように配設され、プランジャ２４の摺動に対する剛性が確保されている。固定コア２３とプランジャ２４との間には、復帰バネ２６が縮設され、プランジャ２４に固定コア２３から離間する方向（図中上方向）の力を常時作用させている。
【００２２】
コイルボビン２１の周りには、磁気枠（磁気フレーム）２７が設けられ、固定コア２３をかしめ固定している。コイル２２は、図示しない整流回路を介してハウジング４（図１参照）に接続し、人工透析濾過装置９０（図１０参照）の図示しないコントローラに接続される。これらの各部材は、組立後にカバー２８を被せられ、カバー２８内に樹脂からなる充填材を注入されることにより、ソレノイド部２を構成している。
【００２３】
ピンチ部３Ａは、支持部材３１Ａ、ピンチ部材４０Ａ、保護カバー５０Ａなどから構成される。支持部材３１Ａは、ソレノイド部２に対して固定され、ソレノイド部２のプランジャ２４と同軸上に中空孔が形成されている。支持部材３１Ａは、チューブＴを挿通されて位置決め保持する挿入部３２が形成され、挿入部３２に保持されるチューブＴに対して直交するようにスプリングピン（「ピンチガイド部材」に相当するもの。）３３が幅方向に架設されている。挿入部３２は、チューブＴと略同径を有する保持孔３４，３４が支持部材３１Ａの側面に対向して形成され、その保持孔３４，３４を溝３５で結んだものである。溝３５は、チューブＴの直径より小さい幅で形成され、溝３５から弾性変形させて挿入したチューブＴを保持孔３４で復元させて位置決め保持するようになっている。このような支持部材３１Ａは、ソレノイド部２と対向する側面に穿設された嵌合孔３６にソレノイド部２のパイプ２５が嵌め合わされ、パイプ２５からプランジャ２４の連結部２９が突き出している。
【００２４】
支持部材３１Ａは、嵌合孔３６と同軸上に案内管３７が設けられ、案内管３７に円柱形状のピンチ部材４０Ａが摺動可能に保持されている。ピンチ部材４０Ａは、縮径部４１がプランジャ２４の連結部２９に連結し、プランジャ２４と一体的に移動するよう構成されており、プランジャ２４を介して復帰バネ２６によって、ソレノイド部２と反対方向（図中上方向）の力が常時作用している。従って、ピンチ部材４０Ａは、ソレノイド部２への非通電時に復帰バネ２６に抗して押し下げられた後、復帰バネ２６の付勢力によって原位置に自動復帰することができる。尚、ピンチ部材４０Ａは、クッションゴム等の緩衝部材４２を装着され、摺動時に支持部材３１Ａに衝突する衝撃力を緩和して、動作音を小さくしている。
【００２５】
ピンチ部材４０Ａは、スプリングピン３３を貫き通すための貫通孔４３が幅方向に穿設されている。貫通孔４３は、軸方向に長く形成され、ピンチ部材４０Ａがスプリングピン３３で回転止めされて摺動するようになっている。ピンチ部材４０Ａは、貫通孔４３の周りに狭圧部４４がコの字状に切りかかれて設けられており、スプリングピン３３と狭圧部４４との間にチューブＴを挿通できるようになっている。狭圧部４４は、チューブＴを滑らかに変形させるため、チューブＴと接触する接触面４４ａを山形に形成されている。
【００２６】
かかる支持部材３１Ａとピンチ部材４０Ａとの間には、隙間が設けられ、その隙間に保護カバー５０Ａが摺動可能に配設されている。保護カバー５０Ａは、有底円筒形状をなし、ピンチ部材４０Ａに被せるようにして支持部材３１Ａに装填されている。保護カバー５０Ａは、スプリングピン３３を貫き通される長孔５１，５１が軸方向に長く形成され、スプリングピン３３で回転止めされてピンチ部材４０Ａと同一方向に摺動するよう保持されている。保護カバー５０Ａと支持部材３１Ａとの間には、復帰バネ５２が縮設され、保護カバー５０Ａにソレノイド部２と反対方向（図中上方向）の力を常時作用させている。従って、保護カバー５０Ａは、ピンチ部材４０Ａと独立して摺動し、復帰バネ５２に抗して押し下げられ、復帰バネ５２の付勢力で原位置に自動復帰するよう構成されている。尚、保護カバー５０Ａの閉端面とピンチ部材４０Ａの図中上端面との間には、軸方向にクリアランスが設けられ、保護カバー５０Ａの摺動が直ちにピンチ部材４０Ａに伝達されるのを防止している。
【００２７】
こうした保護カバー５０Ａの側面には、支持部材３１Ａの挿通部３２を開放するための連通部５３が設けられている。連通部５３は、支持部材３１Ａの保持孔３４と重なるように係止孔５４，５４が保護カバー５０Ａの側面に対向して設けられ、その係止孔５４，５４を連通溝５５で結んだものである。連通溝５５は、保護カバー５０Ａがピンチ部材４０Ａと一体的にソレノイド部２側に移動したときに、支持部材３１Ａの溝３５とピンチ部材４０Ａの狭圧部４４とを連通させるよう設けられている。
【００２８】
図３は、ピンチ部３Ａの分解斜視図である。
ピンチ部３Ａは、次のようにして組み立てられる。先ず、支持部材３１Ａをパッキン６を介してソレノイド部２にネジ７で固定する。このとき、パッキン６が支持部材３１Ａとソレノイド部２との間で押し潰され、取付ガタを吸収する。そして、支持部材３１Ａの開口部からピンチ部材４０Ａを挿入して、縮径部４１をプランジャ２４の連結部２９に連結する。そして、支持部材３１Ａ内周面とピンチ部材４０Ａ外周面との間に復帰バネ５２を挿入した後、保護カバー５０Ａをピンチ部材４０Ａに被せるように支持部材３１Ａに装填する。そして、保護カバー５０Ａを復帰バネ５２に抗してソレノイド部２側に加圧して、ピンチ部材４０Ａの貫通孔４３と保護カバー５１の長孔５１とを位置合わせし、スプリングピン３３を支持部材３１Ａ、保護カバー５０Ａの長孔５１、ピンチ部材４０Ａの貫通孔４３に貫き通し、支持部材３１Ａ、ピンチ部材４０Ａ、保護カバー５０Ａを連結する。
【００２９】
図４は、ピンチバルブ１Ａの側面図である。
このようにして組み立てられたピンチバルブ１Ａは、保護カバー５０Ａの位置検出を行う磁気センサ（「検知手段」に相当するもの。）８を備える。磁気センサ８は、人工透析濾過装置９０の図示しない制御装置に接続し、保護カバー５０Ａの側面に貼着された図示しない磁石を検出することにより、保護カバー５０Ａの位置検出を行い、その検出結果を図示しない制御装置に送信している。図示しない制御装置は、保護カバー５０Ａが支持部材３１Ａの挿入部３２を閉鎖する位置まで移動しているときにのみ、ソレノイド部２に通電するようになっている。
【００３０】
かかるピンチバルブ１Ａを備える人工透析濾過装置９０は、次のように作用する。図５〜図７は、ピンチ部３Ａの動作説明図である。
人工透析濾過装置９０は、人工透析を行っていない間、チューブＴの塑性変形等を防止するためにチューブＴをピンチバルブ１Ａなどから取り外している。このとき、ピンチバルブ１Ａは、図２に示すように、ソレノイド部２に電流を供給されていないため、プランジャ２４が復帰バネ２６に付勢されて固定コア２３から離間する方向（図中上方向）に移動し、ピンチ部材４０Ａを押し上げている。また、保護カバー５０Ａは、復帰バネ５２に押し上げられて、スプリングピン３３に係止されている。
【００３１】
そのため、人工透析を行う場合には、チューブＴをピンチバルブ１Ａに取り付ける必要がある。この場合、先ず、図５に示すように、保護カバー５０Ａをソレノイド部２側に押圧してピンチ部材４０Ａと係合させ、さらに、保護カバー５０Ａとピンチ部材４０Ａを復帰バネ５２，２６に抗して一体的にソレノイド部２側に向かって摺動させる。保護カバー５０Ａが支持部材３１Ａに係止されるまで移動すると、支持部材３１Ａの溝３５が保護カバー５０Ａの連通溝５５を介してピンチ部材４０Ａの狭圧部４４と連通する。
【００３２】
そこで、チューブＴを支持部材３１Ａの溝３５から保持孔３４に向かって挿入して、ピンチ部材４０Ａの狭圧部４４とスプリングピン３３との間に配設し、保護カバー５０Ａへの押圧を解除する。すると、図６に示すように、ピンチ部材４０Ａは、プランジャ２４を介して復帰バネ２６に押し上げられて原位置に自動復帰し、スプリングピン３３と狭圧部４４の接触面４４ａとの間でチューブＴを狭圧密閉する。一方、保護カバー５０Ａは、復帰バネ５２の付勢力でソレノイド部２と反対方向（図中上方向）に移動し、原位置に自動復帰する。これにより、保護カバー５０Ａは、支持部材３１Ａの溝３５から連通溝５５をずらして、支持部材３１Ａの溝３５を閉鎖するとともに、支持部材３１Ａの保持孔３４に保持されるチューブＴに係止孔５４をソレノイド部２側から受けるように係合させる。
【００３３】
このようにしてチューブＴをピンチバルブ１Ａに取り付け、その他必要な準備が完了したら、人工透析濾過装置９０を作動させる。人工透析濾過装置９０は、作動開始と同時に磁気センサ８から検出信号を受信したか否かを確認する。
【００３４】
このとき、例えば、チューブＴが支持部材３１Ａの保持孔３４に正しく嵌め込まれず、保護カバー５０ＡがチューブＴを噛み込んでいる場合には、保護カバー５０Ａが原位置まで復帰することができない。そのため、図示しない制御装置は、ソレノイド部２に通電せず、ピンチバルブ１ＡでチューブＴを狭圧密閉し続ける。そこで、チューブＴの噛み込みを解消するように、チューブＴを支持部材３１Ａの保持孔３４に正しく取り付け直すと、保護カバー５０Ａが原位置に復帰して支持部材３１Ａの挿入部３２を閉鎖する。図示しない制御装置は、磁気センサ８から検知信号を入力し、ピンチバルブ１Ａのソレノイド部２に通電する。
【００３５】
ピンチバルブ１Ａのソレノイド部２に通電すると、固定コア２３が復帰バネ２６に抗してプランジャ２４を吸引し、図７に示すように、ピンチ部材３１Ａをソレノイド部２方向（図中下方向）に移動させる。これにより、狭圧部４４の接触面４４ａがスプリングピン３３から離間し、チューブＴは、復元して血液循環経路を開通させる。このとき、保護カバー５０Ａは、復帰バネ５２で押し上げられたまま摺動せず、支持部材３１Ａの溝３５を閉鎖し続ける。そのため、人工透析濾過装置を使用する患者が、姿勢を変える際などに、チューブＴを支持部材３１Ａの溝３５側に引っ張っても、チューブＴが保護カバー５０Ａの側面に係止されて脱落しない。
【００３６】
人工透析が完了したら、人工透析濾過装置９０を停止してピンチバルブ１ＡからチューブＴを取り外す。ピンチバルブ１Ａは、ソレノイド部２に通電されていないため、図６に示すように、チューブＴをピンチ部材４０Ａの狭圧部４４とスプリングピン３３との間で狭圧密閉している。そこで、保護カバー５０Ａをソレノイド部２側に押圧し、保護カバー５０Ａとピンチ部材４０Ａを復帰バネ５２，２６に抗してソレノイド部２側に向かって摺動させる。これにより、図５に示すように、ピンチ部材４０Ａの狭圧部４４が、支持部材３１Ａの溝３５に保護カバー５０Ａの連通溝５５を介して連通するので、チューブＴを支持部材３１Ａの保持孔３４から溝３５に向かって引っ張って抜き出し、保護カバー５０Ａへの押圧を解除する。すると、図２に示すように、ピンチ部材４０Ａが復帰バネ２６の付勢力で原位置に自動復帰するとともに、保護カバー５０Ａが復帰バネ５２の付勢力で原位置に自動復帰する。
【００３７】
従って、本実施の形態のピンチバルブ１Ａによれば、プランジャ２４が固定コア２３から離間する方向に復帰バネ２６で付勢されたソレノイド部２と、ソレノイド部２に固設され、チューブＴを挿入する挿入部３２が設けられた支持部材３１Ａと、支持部材３１Ａに摺動可能に収納され、プランジャ２４に連結するピンチ部材４０Ａと、ピンチ部材４０Ａと対向配置されるスプリングピン３３と、を備え、ピンチ部材４０Ａを復帰バネ２６に抗して押圧し、溝３５からピンチ部材４０Ａとスプリングピン３３との間にチューブＴを挿入して取り付けるものであって、挿入部３２を開閉する保護カバー５０Ａを有しているので、流体制御中にチューブＴが脱落することを防止できる。
【００３８】
また、本実施の形態のピンチバルブ１Ａによれば、保護カバー５０Ａは、支持部材３１Ａとピンチ部材４０Ａとの間に摺動可能に配設されているので、チューブの脱落防止構造をコンパクトにすることができる。
【００３９】
また、本実施の形態のピンチバルブ１Ａによれば、保護カバー５０Ａを復帰バネ２６と同一方向に付勢する復帰バネ５２を有し、保護カバー５０Ａは、復帰バネ５２に付勢されているときに、支持部材３１Ａの挿入部３２を閉鎖する一方、復帰バネ５２に抗して摺動したときに、支持部材３１Ａの挿入部３２を開放するので、チューブＴをいわゆるワンタッチで着脱することができ、作業性を良好にすることができる。
【００４０】
また、本実施の形態のピンチバルブ１Ａによれば、保護カバー５０Ａの位置検出を行い、保護カバー５０Ａが溝３５を閉鎖する位置にある場合にのみソレノイド部２を駆動させるので、チューブＴの取り付け不良を検出し、チューブＴの脱落をより確実に防止することができる。
【００４１】
（第２実施の形態）
続いて、本発明のピンチバルブに係り、第２実施の形態について説明する。図８は、ピンチバルブ１Ｂの正面図である。図９は、ピンチバルブ１Ｂの断面図である。
本実施の形態のピンチバルブ１Ｂは、保護カバー５０Ｂを手動で原位置まで移動させる点で、保護カバー５０Ａを原位置に自動復帰させる第１実施の形態のピンチバルブ１Ａと相違する。よって、ここでは、第１実施の形態と相違する点について説明し、共通する点について説明を省略する。尚、第１実施の形態のピンチバルブ１Ａと同様の構造には、図面に同一符号を用いている。
【００４２】
ピンチバルブ１Ｂは、図９に示すように、支持部材３１Ｂにピンチ部材４０Ｂが摺動可能に装填され、支持部材３１Ｂとピンチ部材４０Ｂとの間に円筒形状の保護カバー５０Ｂが摺動可能に設けられている。保護カバー５０Ｂは、両端部が開口し、ピンチ部材４０Ｂを直接加圧するようになっている。保護カバー５０Ｂのソレノイド部２側端部には、チューブＴの直径と同じ幅又は広い幅で係止溝７１が軸方向に切り欠かれて設けられており、支持部材３１Ｂの保持孔３４に挿通したチューブＴに係止溝７１を上方から嵌め合わせるよう構成されている。つまり、支持部材３１Ｂの溝３５を保護カバー５０Ｂの側面で閉鎖するようになっている。
【００４３】
かかるピンチバルブ１ＢにチューブＴを取り付けるときには、スプリングピン３３に係止されるまで保護カバー５０Ｂをソレノイド部２と反対方向（図中上方向）に引き上げ、支持部材３１Ｂの溝３５を開口する。その後、ピンチ部材４０Ｂをソレノイド部２側に押圧し、ピンチ部材４０Ｂの狭圧部４４を支持部材３１Ｂの溝３５まで移動させる。これにより、ピンチ部材４０Ｂの接触面４４ａがスプリングピン３３から離間するので、チューブＴを支持部材３１Ｂの溝３５から保持孔３４に向かって挿入し、ピンチ部材４０Ｂの押圧を解除する。ピンチ部材４０Ｂは、復帰バネ２６の付勢力で原位置に自動復帰し、スプリングピン３３と狭圧部４４の接触面４４ａとの間でチューブＴを狭圧密閉する。それから、保護カバー５０Ｂをソレノイド部２側に手動で移動させ、支持部材３１Ｂの溝３５を保護カバー５０Ｂの側面で閉鎖し、取り付けたチューブＴの脱落を防止する。尚、チューブＴを取り外すときには、逆の動作をすればよい。
【００４４】
従って、本実施の形態のピンチバルブ１Ｂによれば、支持部材３１Ｂの挿入部３２を開閉する保護カバー５０Ｂを有しているので、流体制御中にチューブＴが脱落することを防止できる。
【００４５】
以上、本発明の実施の形態について説明したが、本発明は、上記実施の形態に限定されることなく、色々な応用が可能である。
例えば、上記実施の形態では、ピンチバルブ１Ａ，１Ｂを人工透析濾過装置９０に使用したが、使用用途はこれに限定されるものではなく、チューブＴを狭圧又は開放する用途のあるものであれば適用することができる。
【００４６】
【発明の効果】
本発明のピンチバルブによれば、プランジャが固定コアから離間する方向に復帰バネで付勢されたソレノイド部と、ソレノイド部に固設され、チューブを挿入する挿入部が設けられた支持部材と、支持部材に摺動可能に収納され、プランジャに連結するピンチ部材と、ピンチ部材と対向配置されるピンチガイド部材と、を備え、ピンチ部材を復帰バネに抗して押圧し、挿入部からピンチ部材とピンチガイド部材との間にチューブを挿入して取り付けるものにおいて、挿入部を開閉する開閉部材を有しているので、流体制御中にチューブが脱落することを防止できる。
【図面の簡単な説明】
【図１】本発明の第１実施の形態に係り、ピンチバルブの正面図である。
【図２】同じく、ピンチバルブの断面図である。
【図３】同じく、ピンチ部の分解斜視図である。
【図４】同じく、ピンチバルブの側面図である。
【図５】同じく、ピンチ部の動作説明図であって、保護カバーが支持部材の挿入部を開放している状態を示している。
【図６】同じく、ピンチ部の動作説明図であって、保護カバーが支持部材の挿入部を閉鎖している状態を示している。
【図７】同じく、ピンチ部の動作説明図であって、流体制御状態を示している。
【図８】本発明の第２実施の形態に係り、ピンチバルブの正面図である。
【図９】同じく、ピンチバルブの断面図である。
【図１０】人工透析濾過装置の一例を示す概略構成図である。
【図１１】人工透析濾過装置に取り付けられたピンチバルブの拡大図である。
【図１２】従来のピンチバルブの断面図である。
【図１３】従来のピンチバルブの正面図である。
【符号の説明】
１Ａ  ピンチバルブ
１Ｂ  ピンチバルブ
２  ソレノイド部
２４  プランジャ
２３  固定コア
２６  復帰バネ
３１Ａ  支持部材
３１Ｂ  支持部材
３２  挿入部
３３  スプリングピン
４０Ａ  ピンチ部材
４０Ｂ  ピンチ部材
５０Ａ  保護カバー
５０Ｂ  保護カバー
Ｔ  チューブ
【図１】
2004324730.tif 000003
【図２】
2004324730.tif 000004
【図３】
2004324730.tif 000005
【図４】
2004324730.tif 000006
【図５】
2004324730.tif 000007
【図６】
2004324730.tif 000008
【図７】
2004324730.tif 000009
【図８】
2004324730.tif 000010
【図９】
2004324730.tif 000011
【図１０】
2004324730.tif 000012
【図１１】
2004324730.tif 000013
【図１２】
2004324730.tif 000014
【図１３】
2004324730.tif 000015